(57)【要約】【課題】ユーザが意図する処理内容の処理を行うことができる画像処理装置、プログラム、および画像処理方法を提供する。【解決手段】原稿が含む加筆が表す処理内容の候補を選出し、選出した処理内容の候補から所望の処理内容の選択を指示する選択指示を記入する指示書を出力し、選択指示を記入した指示書の指示書画像情報を読み取り、読み取った指示書画像情報を解析して指示書へ記入した選択指示が指示する処理内容を選択し、選択した処理内容の画像処理を元原稿画像情報に対して施すことにより、所望の処理内容の選択指示をユーザに求めることができるので、ユーザが意図する処理内容の画像処理を施した出力結果を得ることができる。【選択図】        図３
2010074425.tif 000002
【特許請求の範囲】
【請求項１】
元原稿画像情報に施す画像処理の処理内容を表す加筆を含む原稿の原稿画像情報を読み取る原稿読取手段と、
読み取った前記原稿画像情報から前記加筆の加筆画像情報を抽出する加筆抽出手段と、
抽出した前記加筆画像情報を解析して前記加筆が表す前記処理内容の候補を選出する候補選出手段と、
選出した前記処理内容の候補から所望の前記処理内容の選択を指示する選択指示を記入する指示書を出力する指示書出力手段と、
前記選択指示を記入した前記指示書の指示書画像情報を読み取る指示書読取手段と、
読み取った前記指示書画像情報を解析して前記指示書へ記入した前記選択指示が指示する前記処理内容を選択する内容選択手段と、
選択した前記処理内容の画像処理を前記元原稿画像情報に対して施す画像処理制御手段と、
を備えたことを特徴とする画像処理装置。
【請求項２】
前記指示書出力手段は、前記選択指示を記入するチェック欄を含む前記指示書を出力することを特徴とする請求項１に記載の画像処理装置。
【請求項３】
前記処理内容は、前記元原稿画像情報の中の画像処理を施す処理範囲および前記処理範囲に施す画像処理の画像処理方法であり、
前記指示書出力手段は、前記各処理範囲の候補を示す画像および前記各画像処理方法の候補のリストを含む前記指示書を出力することを特徴とする請求項１または２に記載の画像処理装置。
【請求項４】
前記指示書出力手段は、前記各処理範囲の候補を示す枠線が描かれた画像と、前記各枠線に付加された前記選択指示を記入するチェック欄と、を含む前記指示書を出力することを特徴とする請求項３に記載の画像処理装置。
【請求項５】
前記指示書出力手段は、当該複数の処理内容の候補を表す前記加筆の例をさらに含む前記指示書を出力することを特徴とする請求項１から４のいずれか一に記載の画像処理装置。
【請求項６】
前記元原稿画像情報と当該元原稿画像情報を識別するための識別情報とを対応付けて記憶する記憶手段をさらに備え、
前記指示書出力手段は、前記識別情報をさらに含む前記指示書を出力し、
前記画像処理制御手段は、前記指示書に含まれる前記識別情報と対応付けて記憶した前記元原稿画像情報に対して、決定した前記処理内容の画像処理を施すことを特徴とする請求項１から５のいずれか一に記載の画像処理装置。
【請求項７】
コンピュータを、
元原稿画像情報に施す画像処理の処理内容を表す加筆を含む原稿の原稿画像情報を読み取る原稿読取手段と、
読み取った前記原稿画像情報から前記加筆の加筆画像情報を抽出する加筆抽出手段と、
抽出した前記加筆画像情報を解析して前記加筆が表す前記処理内容の候補を選出する候補選出手段と、
選出した前記処理内容の候補から所望の前記処理内容の選択を指示する選択指示を記入する指示書を出力する指示書出力手段と、
前記選択指示を記入した前記指示書の指示書画像情報を読み取る指示書読取手段と、
読み取った前記指示書画像情報を解析して前記指示書へ記入した前記選択指示が指示する前記処理内容を選択する内容選択手段と、
選択した前記処理内容の画像処理を前記元原稿画像情報に対して施す画像処理制御手段と、
として機能させるためのプログラム。
【請求項８】
前記指示書出力手段は、前記選択指示を記入するチェック欄を含む前記指示書を出力することを特徴とする請求項７に記載のプログラム。
【請求項９】
前記処理内容は、前記元原稿画像情報の中の画像処理を施す処理範囲および前記処理範囲に施す画像処理の画像処理方法であり、
前記指示書出力手段は、前記各処理範囲の候補を示す画像および前記各画像処理方法の候補のリストを含む前記指示書を出力することを特徴とする請求項７または８に記載のプログラム。
【請求項１０】
前記指示書出力手段は、前記各処理範囲の候補を示す枠線が描かれた画像と、前記各枠線に付加された前記選択指示を記入するチェック欄と、を含む前記指示書を出力することを特徴とする請求項９に記載のプログラム。
【請求項１１】
前記指示書出力手段は、当該複数の処理内容の候補を表す前記加筆の例をさらに含む前記指示書を出力することを特徴とする請求項７から１０のいずれか一に記載のプログラム。
【請求項１２】
前記コンピュータを、さらに、
前記元原稿画像情報と当該元原稿画像情報を識別するための識別情報とを対応付けて記憶する記憶手段として機能させ、
前記指示書出力手段は、前記識別情報をさらに含む前記指示書を出力し、
前記画像処理制御手段は、前記指示書に含まれる前記識別情報と対応付けて記憶した前記元原稿画像情報に対して、決定した前記処理内容の画像処理を施すことを特徴とする請求項７から１１のいずれか一に記載のプログラム。
【請求項１３】
原稿読取手段が、元原稿画像情報に施す画像処理の処理内容を表す加筆を含む原稿の原稿画像情報を読み取る原稿読取工程と、
加筆抽出手段が、読み取った前記原稿画像情報から前記加筆の加筆画像情報を抽出する加筆抽出工程と、
候補選出手段が、抽出した前記加筆画像情報を解析して前記加筆が表す前記処理内容の候補を選出する候補選出工程と、
指示書出力手段が、選出した前記処理内容の候補から所望の前記処理内容の選択を指示する選択指示を記入する指示書を出力する指示書出力工程と、
指示書読取手段が、前記選択指示を記入した前記指示書の指示書画像情報を読み取る指示書読取工程と、
内容選択手段が、読み取った前記指示書画像情報を解析して前記指示書へ記入した前記選択指示が指示する前記処理内容を選択する内容選択工程と、
画像処理制御手段が、選択した前記処理内容の画像処理を前記元原稿画像情報に対して施す画像処理制御工程と、
を有することを特徴とする画像処理方法。
【請求項１４】
前記指示書出力工程は、前記選択指示を記入するチェック欄を含む前記指示書を出力することを特徴とする請求項１３に記載の画像処理方法。
【請求項１５】
前記処理内容は、前記元原稿画像情報の中の画像処理を施す処理範囲および前記処理範囲に施す画像処理の画像処理方法であり、
前記指示書出力工程は、前記各処理範囲の候補を示す画像および前記各画像処理方法の候補のリストを含む前記指示書を出力することを特徴とする請求項１３または１４に記載の画像処理方法。
【請求項１６】
前記指示書出力工程は、前記各処理範囲の候補を示す枠線が描かれた画像と、前記各枠線に付加された前記選択指示を記入するチェック欄と、を含む前記指示書を出力することを特徴とする請求項１５に記載の画像処理方法。
【請求項１７】
前記指示書出力工程は、当該複数の処理内容の候補を表す前記加筆の例をさらに含む前記指示書を出力することを特徴とする請求項１３から１６のいずれか一に記載の画像処理方法。
【請求項１８】
記憶手段が、前記元原稿画像情報と当該元原稿画像情報を識別するための識別情報とを対応付けて記憶する記憶工程をさらに有し、
前記指示書出力手工程は、前記識別情報をさらに含む前記指示書を出力し、
前記画像処理制御工程は、前記指示書に含まれる前記識別情報と対応付けて記憶した前記元原稿画像情報に対して、決定した前記処理内容の画像処理を施すことを特徴とする請求項１３から１７のいずれか一に記載の画像処理方法。
【発明の詳細な説明】
【技術分野】
【０００１】
本発明は、画像処理装置、プログラム、および画像処理方法に関するものである。
【背景技術】
【０００２】
パーソナルコンピュータ等の情報処理装置で作成した電子文書の校正やレイアウトのチェックを行う場合、ユーザは、通常、チェックした内容に関する修正を電子文書に反映させながら作業を進める。しかし、電子文書全体の構成やレイアウトをチェックする場合、電子文書は、全体を見通しながらチェックを行うことが困難なため、電子文書全体をチェックする間に電子文書に対する修正が何度も繰り返され、その度に紙に印刷される場合がある。そのため、電子文書全体の校正やレイアウトをチェックする場合には、電子文書をプリンタにより紙に印刷出力し、紙文書上で電子文書の校正やレイアウトをチェックすることも多い。これは、紙文書が文書全体を通したチェックに便利だからである。
【０００３】
ところで、紙文書上で電子文書の校正やレイアウトをチェックする場合、チェックした内容に関する修正は、紙文書に対して行われる。そのため、ユーザは、紙文書上で電子文書の校正やレイアウトをチェックした後、紙文書に記録した修正を参照しながら、元の電子文書に対してその修正を手作業で反映させなければならず、その途中の作業が面倒である。
【０００４】
そこで、このような問題を解決するために、電子文書に対する処理内容（例えば、画像処理方法や画像処理を施す処理範囲など）を表す加筆を含む紙文書をスキャナで読み取り、読み取った当該紙文書上の加筆が表す処理内容に基づいて、電子文書に対する処理を行う技術が提案されている（特許文献１参照）。
【０００５】
【特許文献１】特開２００６−０２０１４４号公報
【発明の開示】
【発明が解決しようとする課題】
【０００６】
しかしながら、上記特許文献１に記載された技術によれば、加筆が表す処理内容を正確に認識することができず、当該加筆が表す処理内容の候補が複数選出された場合に、当該複数の処理内容の候補からユーザが意図した処理内容が選択されず、ユーザが意図した処理内容の処理が電子文書に対して行われない場合がある、という問題がある。
【０００７】
本発明は、上記に鑑みてなされたものであって、ユーザが意図する処理内容の処理を行うことができる画像処理装置、プログラム、および画像処理方法を提供することを目的とする。
【課題を解決するための手段】
【０００８】
上述した課題を解決し、目的を達成するために、請求項１にかかる発明は、元原稿画像情報に施す画像処理の処理内容を表す加筆を含む原稿の原稿画像情報を読み取る原稿読取手段と、読み取った前記原稿画像情報から前記加筆の加筆画像情報を抽出する加筆抽出手段と、抽出した前記加筆画像情報を解析して前記加筆が表す前記処理内容の候補を選出する候補選出手段と、選出した前記処理内容の候補から所望の前記処理内容の選択を指示する選択指示を記入する指示書を出力する指示書出力手段と、前記選択指示を記入した前記指示書の指示書画像情報を読み取る指示書読取手段と、読み取った前記指示書画像情報を解析して前記指示書へ記入した前記選択指示が指示する前記処理内容を選択する内容選択手段と、選択した前記処理内容の画像処理を前記元原稿画像情報に対して施す画像処理制御手段と、を備えたことを特徴とする。
【０００９】
また、請求項２にかかる発明は、請求項１にかかる発明において、前記指示書出力手段は、前記選択指示を記入するチェック欄を含む前記指示書を出力することを特徴とする。
【００１０】
また、請求項３にかかる発明は、請求項１または２にかかる発明において、前記処理内容は、前記元原稿画像情報の中の画像処理を施す処理範囲および前記処理範囲に施す画像処理の画像処理方法であり、前記指示書出力手段は、前記各処理範囲の候補を示す画像および前記各画像処理方法の候補のリストを含む前記指示書を出力することを特徴とする。
【００１１】
また、請求項４にかかる発明は、請求項３にかかる発明において、前記指示書出力手段は、前記各処理範囲の候補を示す枠線が描かれた画像と、前記各枠線に付加された前記選択指示を記入するチェック欄と、を含む前記指示書を出力することを特徴とする。
【００１２】
また、請求項５にかかる発明は、請求項１から４のいずれか一にかかる発明において、前記指示書出力手段は、当該複数の処理内容の候補を表す前記加筆の例をさらに含む前記指示書を出力することを特徴とする。
【００１３】
また、請求項６にかかる発明は、請求項１から５のいずれか一にかかる発明において、前記元原稿画像情報と当該元原稿画像情報を識別するための識別情報とを対応付けて記憶する記憶手段をさらに備え、前記指示書出力手段は、前記識別情報をさらに含む前記指示書を出力し、前記画像処理制御手段は、前記指示書に含まれる前記識別情報と対応付けて記憶した前記元原稿画像情報に対して、決定した前記処理内容の画像処理を施すことを特徴とする。
【００１４】
また、請求項７にかかる発明は、コンピュータを、元原稿画像情報に施す画像処理の処理内容を表す加筆を含む原稿の原稿画像情報を読み取る原稿読取手段と、読み取った前記原稿画像情報から前記加筆の加筆画像情報を抽出する加筆抽出手段と、抽出した前記加筆画像情報を解析して前記加筆が表す前記処理内容の候補を選出する候補選出手段と、選出した前記処理内容の候補から所望の前記処理内容の選択を指示する選択指示を記入する指示書を出力する指示書出力手段と、前記選択指示を記入した前記指示書の指示書画像情報を読み取る指示書読取手段と、読み取った前記指示書画像情報を解析して前記指示書へ記入した前記選択指示が指示する前記処理内容を選択する内容選択手段と、選択した前記処理内容の画像処理を前記元原稿画像情報に対して施す画像処理制御手段と、として機能させるためのものである。
【００１５】
また、請求項８にかかる発明は、請求項７にかかる発明において、前記指示書出力手段は、前記選択指示を記入するチェック欄を含む前記指示書を出力することを特徴とする。
【００１６】
また、請求項９にかかる発明は、請求項７または８にかかる発明において、前記処理内容は、前記元原稿画像情報の中の画像処理を施す処理範囲および前記処理範囲に施す画像処理の画像処理方法であり、前記指示書出力手段は、前記各処理範囲の候補を示す画像および前記各画像処理方法の候補のリストを含む前記指示書を出力することを特徴とする。
【００１７】
また、請求項１０にかかる発明は、請求項９にかかる発明において、前記指示書出力手段は、前記各処理範囲の候補を示す枠線が描かれた画像と、前記各枠線に付加された前記選択指示を記入するチェック欄と、を含む前記指示書を出力することを特徴とする。
【００１８】
また、請求項１１にかかる発明は、請求項７から１０のいずれか一にかかる発明において、前記指示書出力手段は、当該複数の処理内容の候補を表す前記加筆の例をさらに含む前記指示書を出力することを特徴とする。
【００１９】
また、請求項１２にかかる発明は、請求項７から１１のいずれか一にかかる発明において、前記コンピュータを、さらに、前記元原稿画像情報と当該元原稿画像情報を識別するための識別情報とを対応付けて記憶する記憶手段として機能させるためのものであり、前記指示書出力手段は、前記識別情報をさらに含む前記指示書を出力し、前記画像処理制御手段は、前記指示書に含まれる前記識別情報と対応付けて記憶した前記元原稿画像情報に対して、決定した前記処理内容の画像処理を施すことを特徴とする。
【００２０】
また、請求項１３にかかる発明は、原稿読取手段が、元原稿画像情報に施す画像処理の処理内容を表す加筆を含む原稿の原稿画像情報を読み取る原稿読取工程と、加筆抽出手段が、読み取った前記原稿画像情報から前記加筆の加筆画像情報を抽出する加筆抽出工程と、候補選出手段が、抽出した前記加筆画像情報を解析して前記加筆が表す前記処理内容の候補を選出する候補選出工程と、指示書出力手段が、選出した前記処理内容の候補から所望の前記処理内容の選択を指示する選択指示を記入する指示書を出力する指示書出力工程と、指示書読取手段が、前記選択指示を記入した前記指示書の指示書画像情報を読み取る指示書読取工程と、内容選択手段が、読み取った前記指示書画像情報を解析して前記指示書へ記入した前記選択指示が指示する前記処理内容を選択する内容選択工程と、画像処理制御手段が、選択した前記処理内容の画像処理を前記元原稿画像情報に対して施す画像処理制御工程と、を有することを特徴とする。
【００２１】
また、請求項１４にかかる発明は、請求項１３にかかる発明において、前記指示書出力工程は、前記選択指示を記入するチェック欄を含む前記指示書を出力することを特徴とする。
【００２２】
また、請求項１５にかかる発明は、請求項１３または１４にかかる発明において、前記処理内容は、前記元原稿画像情報の中の画像処理を施す処理範囲および前記処理範囲に施す画像処理の画像処理方法であり、前記指示書出力工程は、前記各処理範囲の候補を示す画像および前記各画像処理方法の候補のリストを含む前記指示書を出力することを特徴とする。
【００２３】
また、請求項１６にかかる発明は、請求項１５にかかる発明において、前記指示書出力工程は、前記各処理範囲の候補を示す枠線が描かれた画像と、前記各枠線に付加された前記選択指示を記入するチェック欄と、を含む前記指示書を出力することを特徴とする。
【００２４】
また、請求項１７にかかる発明は、請求項１３から１６のいずれか一にかかる発明において、前記指示書出力工程は、当該複数の処理内容の候補を表す前記加筆の例をさらに含む前記指示書を出力することを特徴とする。
【００２５】
また、請求項１８にかかる発明は、請求項１３から１７のいずれか一にかかる発明において、記憶手段が、前記元原稿画像情報と当該元原稿画像情報を識別するための識別情報とを対応付けて記憶する記憶工程をさらに有し、前記指示書出力工程は、前記識別情報をさらに含む前記指示書を出力し、前記画像処理制御工程は、前記指示書に含まれる前記識別情報と対応付けて記憶した前記元原稿画像情報に対して、決定した前記処理内容の画像処理を施すことを特徴とする。
【発明の効果】
【００２６】
本発明によれば、複数の処理内容の候補の中から加筆が表す処理内容の選択指示をユーザに求めることができるので、ユーザが意図する処理内容の処理を行うことができる、という効果を奏する。
【発明を実施するための最良の形態】
【００２７】
以下に添付図面を参照して、この発明にかかる画像処理装置、プログラム、および画像処理方法の最良な実施の形態を詳細に説明する。なお、本実施の形態では、コピー機能、ファクシミリ機能、プリント機能、スキャナ機能、画像データ等を配信する通信機能等を複合したカラーデジタル複合機（ＭＦＰ：Multi Function Peripheral）に本発明の画像処理装置、プログラム、および画像処理方法を適用した例について説明する。但し複合機に限られず、プリンタ、ファクシミリ、コピー機等の画像形成装置などにも本発明を適用することができる。
【００２８】
（第１実施の形態）
図１は、本実施の形態にかかるカラーデジタル複合機を概略的に示す構成図である。本実施の形態にかかるカラーデジタル複合機１０００は、後処理装置であるフィニッシャ１００と、画像読取装置であるスキャナ部２００と、画像印刷装置であるプリンタ部３００と、を備えて構成されている。
【００２９】
本実施の形態にかかるカラーデジタル複合機１０００は、ドキュメントボックス機能、複写機能、プリンタ機能、およびファクシミリ機能を順次に切り替えて選択することが可能となっている。ここでは、複写機能が選択された場合における画像形成の流れを例に挙げ、図１を参照して説明する。
【００３０】
まず、カラーデジタル複合機１０００のスキャナ部２００について説明する。スキャナ部２００は、概略的には、自動原稿送り装置（以下、ＡＤＦ：Auto Document Feederとする）１と読み取りユニット５０とで構成されている。
【００３１】
ＡＤＦ１の原稿台２に原稿の画像面を上にして置かれた原稿束は、操作表示部４００上のプリントキー（図示せず）が押下されると、一番下の原稿から給送ローラ３、給送ベルト４によってコンタクトガラス６上の所定の位置に給送される。なお、カラーデジタル複合機１０００は、１枚の原稿をコンタクトガラス６上の所定の位置に給送完了する毎に原稿枚数をカウントアップするカウント機能を有している。
【００３２】
コンタクトガラス６上の所定の位置に給送された原稿は、読み取りユニット５０によって原稿画像データを読み取られる。
【００３３】
ここで、読み取りユニット５０について詳述する。読み取りユニット５０は、原稿を載置するコンタクトガラス６と光学走査系で構成されている。光学走査系は、照明手段である露光ランプ５１、第１ミラー５２、レンズ５３、ＣＣＤイメージセンサ５４等で構成されている。露光ランプ５１および第１ミラー５２は、図示しない第１キャリッジ上に固定され、第２ミラー５５および第３ミラー５６は、図示しない第１キャリッジ上に固定されている。この光学走査系は、スキャナ駆動モータにて駆動される。本実施の読み取りユニット５０は、コンタクトガラス６上に原稿が搭載された場合に、露光ランプ５１を点灯し、走行体である第１キャリッジおよび第２キャリッジをスキャナ駆動モータにより右方向に移動走査して原稿を読み取る読み取り方式と、露光ランプ５１を点灯し、第１キャリッジおよび第２キャリッジは停止した状態のまま、ＡＤＦ１によって搬送される原稿を読み取る読み取り方式が選択可能である。第１キャリッジおよび第２キャリッジをスキャナ駆動モータにより右方向に移動走査して原稿を読み取る読み取り方式の場合には、原稿像を読み取るときには、光路長が変わらないように、第１キャリッジと第２キャリッジとが２対１の相対速度で副走査方向に機械的に走査される。原稿は、ＣＣＤイメージセンサ５４によって読み取られ、電気信号に変換されて出力される。ＣＣＤイメージセンサ５４からの出力信号は、ＡＤコンバータによりデジタルデータ（原稿画像データ）に変換される。
【００３４】
デジタルデータに変換された原稿画像データは、例えばプリンタ部３００に送られてプリント出力として出力される場合や、あるいは記憶装置に送られて記憶される場合等、種々あり、スキャナ部２００の情報として使用されている。記憶装置に記憶された原稿画像データは、再出力などが可能になっている。なお、本実施の形態では、原稿画像データは、当該原稿画像データを識別する識別情報（例えば、ファイル名やページ番号等）と対応付けて記憶装置に記憶されているものとする。
【００３５】
読み取りユニット５０によって原稿画像データの読み取りが終了した原稿は、給送ベルト４および排送ローラ５によって排出される。
【００３６】
さらに、原稿セット検知センサ７にて原稿台２に次の原稿が有ることを検知した場合、前原稿と同様に、次の原稿がコンタクトガラス６上に給送される。
【００３７】
上述した給送ローラ３、給送ベルト４、排送ローラ５は、それぞれ搬送モータによって駆動される。
【００３８】
次に、カラーデジタル複合機１０００のプリンタ部３００について説明する。プリンタ部３００は、概略的には、作像ステーション７０と定着ユニット１７と給紙部８０と両面給紙ユニット１１１とで構成されている。
【００３９】
作像ステーション７０は、電子写真方式で作像するものであり、書き込みユニット５７と、タンデム方式の４つのドラム状の感光体１５と、感光体１５毎に設けられていてシアン（Ｃ）、マゼンダ（Ｍ）、イエロー（Ｙ）、ブラック（Ｋ）の各色に対応した現像ユニット１９と、各感光体１５上に形成された画像がそれぞれの転写位置で転写紙Ｐ上に順次転写されるように用紙を搬送するベルト状の搬送ベルト１６とを主体として構成されている。
【００４０】
給紙部８０は、第１トレイ８と第２トレイ９と第３トレイ１０と第１給紙装置１１と第２給紙装置１２と第３給紙装置１３と縦搬送ユニット１４とにより構成されている。第１トレイ８、第２トレイ９、第３トレイ１０に積載された転写紙Ｐは、各々第１給紙装置１１、第２給紙装置１２、第３給紙装置１３によって給紙され、縦搬送ユニット１４によって搬送方向上流側に位置する感光体１５に当接する位置まで搬送される。
【００４１】
読み取りユニット５０にて読み取られた原稿画像データは、書き込みユニット５７から出力されるレーザビームによって各感光体１５に書き込まれ、各現像ユニット１９を通過することによってトナー像が形成される。書き込みユニット５７は、レーザ出力ユニット５８、結像レンズ５９、ミラー（図示しない）で構成され、レーザ出力ユニット５８の内部には、レーザ光源であるレーザダイオードおよびモータによって高速で定速回転する多角形ミラー（ポリゴンミラー）が備わっている。なお、特に図示しないが、各感光体１５の一端近傍のレーザビームを照射される位置に、主走査同期信号を発生するビームセンサが配置されている。
【００４２】
各感光体１５上の各トナー像は、各感光体１５の回転と等速で搬送ベルト１６によって搬送される転写紙Ｐ上に転写されることにより、転写紙Ｐ上にカラー画像に形成される。その後、定着ユニット１７に搬送されて画像を定着された転写紙Ｐは、排紙ユニット１８によって後処理装置であるフィニッシャ１００に排出される。
【００４３】
後処理装置のフィニシャ１００は、排紙ユニット１８の排紙ローラ１８ａによって搬送された転写紙Ｐを、通常排紙ローラ１０２方向とステープル処理部方向へと切り替えて導くことができる。より詳細には、後処理装置であるフィニシャ１００は、切り替え板１０１を上に切り替えることにより、搬送ローラ１０３を経由して通常の排紙トレイ１０４側に転写紙Ｐを排紙することができ、切り替え板１０１を下方向に切り替えることで、搬送ローラ１０５、１０７を経由して、ステープル台１０８に転写紙Ｐを搬送することができる。
【００４４】
ステープル台１０８に積載された転写紙Ｐは、一枚排紙されるごとに紙揃え用のジョガー１０９によって、紙端面が揃えられ、一部のコピー完了と共にステープラ１０６によって綴じられる。ステープラ１０６で綴じられた転写紙Ｐ群は、自重によってステープル完了排紙トレイ１１０に収納される。
【００４５】
一方、フィニシャ１００の通常の排紙トレイ１０４は、前後に移動可能な排紙トレイである。前後に移動可能な排紙トレイ１０４は、原稿毎、あるいは、画像メモリによってソーティングされたコピー部毎に、前後に移動し、簡易的に排出されてくるコピー紙を仕分けるものである。
【００４６】
本実施の形態にかかるカラーデジタル複合機１０００は、転写紙Ｐの両面に画像を作像可能である。転写紙Ｐの両面に画像を作像する場合は、各給紙トレイ８〜１０から給紙され作像された転写紙Ｐを排紙トレイ１０４側に導かないで、排紙ユニット１８の経路切り替えの為の分岐爪１１２を上側にセットすることで、一旦両面給紙ユニット１１１にストックする。その後、両面給紙ユニット１１１にストックされた転写紙Ｐは、再び感光体１５に作像されたトナー画像を転写するために、反転された状態で両面給紙ユニット１１１から再給紙され、下側にセットされた分岐爪１１２を介して排紙トレイ１０４に導かれる。このように、転写紙Ｐの両面に画像を作成する場合に両面給紙ユニット１１１は使用される。また、画像の載った転写紙Ｐの裏面に印字を行なう際にも両面給紙ユニット１１１を用いて転写紙Ｐの裏表を変えることができる。
【００４７】
図２は、カラーデジタル複合機のハードウェア構成を示すブロック図である。図２に示すように、このカラーデジタル複合機１０００は、コントローラ１１０１とプリンタ部３００及びスキャナ部２００とをＰＣＩ（Peripheral Component Interconnect）バスで接続した構成となる。コントローラ１１０１は、カラーデジタル複合機１０００全体の制御と描画、通信、操作表示部４００からの入力を制御するコントローラである。なお、プリンタ部３００又はスキャナ部２００には、誤差拡散やガンマ変換などの画像処理部が含まれる。
【００４８】
操作表示部４００は、スキャナ部２００で読み取られた原稿の原稿画像データ等を表示するタッチパネル４００ａと、タッチパネル４００ａにペンの先端を接触させることによって、マウスのボタンを押したのと同様の操作を行うことができる筆跡入力手段としてのスタイラスペン４００ｃと、キーの打鍵による使用者の文字入力や編集操作等を受け付けるキー操作部４００ｂとを有する。なお、スタイラスペン４００ｃを用いずに、ユーザの指示などにより、タッチパネル４００ａに対して直接操作するようにしてもよい。
【００４９】
コントローラ１１０１は、コンピュータの主要部であるＣＰＵ（Central Processing Unit）１１１１と、システムメモリ（ＭＥＭ−Ｐ）１１１２と、ノースブリッジ（ＮＢ）１１１３と、サウスブリッジ（ＳＢ）１１１４と、ＡＳＩＣ（Application Specific Integrated Circuit）１１１６と、ローカルメモリ（ＭＥＭ−Ｃ）１１１７と、ハードディスクドライブ（ＨＤＤ）１１１８とを有し、ＮＢ１１１３とＡＳＩＣ１１１６との間をＡＧＰ（Accelerated Graphics Port）バス１１１５で接続した構成となる。また、ＭＥＭ−Ｐ１１１２は、ＲＯＭ（Read Only Memory）１１１２ａと、ＲＡＭ（Random Access Memory）１１１２ｂとをさらに有する。
【００５０】
ＣＰＵ１１１１は、カラーデジタル複合機１０００の全体制御を行うものであり、ＮＢ１１１３、ＭＥＭ−Ｐ１１１２およびＳＢ１１１４からなるチップセットを有し、このチップセットを介して他の機器と接続される。
【００５１】
ＮＢ１１１３は、ＣＰＵ１１１１とＭＥＭ−Ｐ１１１２、ＳＢ１１１４、ＡＧＰバス１１１５とを接続するためのブリッジであり、ＭＥＭ−Ｐ１１１２に対する読み書きなどを制御するメモリコントローラと、ＰＣＩマスタおよびＡＧＰターゲットとを有する。
【００５２】
ＭＥＭ−Ｐ１１１２は、プログラムやデータの格納用メモリ、プログラムやデータの展開用メモリ、プリンタの描画用メモリなどとして用いるシステムメモリであり、ＲＯＭ１１１２ａとＲＡＭ１１１２ｂとからなる。ＲＯＭ１１１２ａは、ＣＰＵ１１１１の動作を制御するプログラムやデータの格納用メモリとして用いる読み出し専用のメモリであり、ＲＡＭ１１１２ｂは、プログラムやデータの展開用メモリ、プリンタの描画用メモリなどとして用いる書き込みおよび読み出し可能なメモリである。
【００５３】
ＳＢ１１１４は、ＮＢ１１１３とＰＣＩデバイス、周辺デバイスとを接続するためのブリッジである。このＳＢ１１１４は、ＰＣＩバスを介してＮＢ１１１３と接続されており、このＰＣＩバスには、ネットワークインタフェース（Ｉ／Ｆ）部１１０４なども接続される。
【００５４】
ＡＳＩＣ１１１６は、画像処理用のハードウェア要素を有する画像処理用途向けのＩＣ（Integrated Circuit）であり、ＡＧＰバス１１１５、ＰＣＩバス、ＨＤＤ１１１８およびＭＥＭ−Ｃ１１１７をそれぞれ接続するブリッジの役割を有する。このＡＳＩＣ１１１６は、ＰＣＩターゲットおよびＡＧＰマスタと、ＡＳＩＣ１１１６の中核をなすアービタ（ＡＲＢ）と、ＭＥＭ−Ｃ１１１７を制御するメモリコントローラと、ハードウェアロジックなどにより画像データの回転などを行う複数のＤＭＡＣ（Direct Memory Access Controller）と、プリンタ部３００やスキャナ部２００との間でＰＣＩバスを介したデータ転送を行うＰＣＩユニットとからなる。このＡＳＩＣ１１１６には、ＰＣＩバスを介してＦＣＵ（Fax Control Unit）１１２１、ＵＳＢ（Universal Serial Bus）１１２２、ＩＥＥＥ１３９４（the Institute of Electrical and Electronics Engineers 1394）インタフェース１１２３が接続される。
【００５５】
ＭＥＭ−Ｃ１１１７は、コピー用画像バッファ、符号バッファとして用いるローカルメモリであり、ＨＤＤ１１１８は、上述した記憶装置として機能するものであり、原稿画像データ等の蓄積、ＣＰＵ１１１１の動作を制御するプログラムの蓄積、フォントデータの蓄積、フォームの蓄積を行うためのストレージである。
【００５６】
ＡＧＰバス１１１５は、グラフィック処理を高速化するために提案されたグラフィックスアクセラレータカード用のバスインタフェースであり、ＭＥＭ−Ｐ１１１２に高スループットで直接アクセスすることにより、グラフィックスアクセラレータカードを高速にするものである。
【００５７】
次に、図３および図４を用いて、本実施の形態のカラーデジタル複合機１０００のコントローラ１１０１がプログラムに従って実現する画像処理にかかる特徴的な機能について説明する。図３は、画像処理にかかる機能構成を示すブロック図である。図４は、画像処理の手順を示すフローチャートである。
【００５８】
図３に示すように、カラーデジタル複合機１０００は、ＣＰＵ１１１１がプログラムに従うことにより、原稿読取部３０１、加筆抽出部３０２、候補選出部３０３、指示書出力部３０４、指示書読取部３０５、内容選択部３０６、および画像処理制御部３０７を実現する。
【００５９】
原稿読取部３０１は、スキャナ部２００を制御して、元原稿画像データに施す画像処理の処理内容を表す加筆を含む原稿の原稿画像データを読み取る（ステップＳ４０１）。ここで、元原稿画像データとは、読み取った原稿画像データのオリジナルの原稿画像データであり、例えば、ＨＤＤ１１１８に記憶されている原稿画像データである。また、画像処理の処理内容とは、元原稿画像データに施す画像処理に関する情報であって、例えば、元原稿画像データに施す画像処理の画像処理方法、元原稿画像データ中の画像処理を施す対象範囲（処理範囲）である。また、画像処理の処理内容を表す加筆とは、“○”，“×”に代表される図形、線分、閉曲線などであり、元原稿画像データに施す画像処理のためのコマンド（命令記号）である。
【００６０】
図５は、命令記号が表す処理内容の候補の一覧である処理内容候補テーブルの一例を示す図である。本実施の形態では、命令記号のパターン画像と、当該命令記号が表す処理内容の候補と、を対応付けた処理内容候補テーブルがＨＤＤ１１１８に予め記憶されているものとする。例えば、原稿の上部に表記された命令記号：“↓”は、対象範囲がページの一部またはページの全体であることを表している。そして、対象範囲がページの一部である場合、原稿の上部に表記された命令記号：“↓”は、当該対象範囲に施す画像処理の画像処理方法が移動、変倍、または分割であることを表している。一方、対象範囲がページの全体である場合、原稿の上部に表記された命令記号“↓”は、当該対象範囲に施す画像処理の画像処理方法が縮小であることを表している。
【００６１】
図６は、加筆（命令記号）を含む原稿の一例を示す図である。図６に示すように、原稿６００は、絵６０１、絵６０１の表示番号６０２、および絵６０１の説明文６０３の画像部分があるものとする。この原稿６００のレイアウトを変更する場合、ユーザは、原稿６００内の画像部分に対して命令記号を表記する。例えば、絵６０１、表示番号６０２および説明文６０３を原稿６００の下方に移動させたい場合、ユーザは、絵６０１、表示番号６０２および説明文６０３を囲む命令記号：閉曲線６０４を原稿６００に表記し、さらに、閉曲線６０４に付属して当該閉曲線６０４で囲まれた画像部分の移動方向を指示する命令記号：“↓”６０５を原稿６００に表記する。
【００６２】
加筆抽出部３０２は、原稿読取部３０１で読み取った原稿画像データから加筆の加筆画像データを抽出する（ステップＳ４０２）。本実施の形態では、加筆抽出部３０２は、原稿読取部６０１で読み取った原稿画像データの識別情報と対応付けてＨＤＤ１１１８に記憶されている元原稿画像データと、原稿読取部６０１で読み取った原稿画像データと、の差分を取得し、取得した差分を加筆画像データとして抽出する。なお、加筆抽出部３０２は、原稿６００に含まれる２次元バーコード（図示しない）が示す原稿画像データの識別情報に基づいて、ＨＤＤ１１１８から元原稿画像データを読み込むものとする。また、加筆抽出部３０２は、抽出した加筆画像データを、原稿６００に表示された加筆箇所（ｎ＝１，２，３，．．．）毎にＲＡＭ１１１２ｂに格納する。
【００６３】
候補選出部３０３は、加筆抽出部３０２によって抽出した加筆画像データを解析して加筆が表す処理内容の候補を選出する（ステップＳ４０３）。ここで、図７を用いて、加筆が表す処理内容の候補を選出する処理について詳細に説明する。図７は、処理内容の候補を選出する処理の手順を示すフローチャートである。
【００６４】
まず、候補選出部３０３は、加筆抽出部３０２によってＨＤＤ１１１８から読み込んだ元原稿画像データの内容を解析する（ステップＳ７０１）。具体的には、候補選出部３０３は、元原稿画像データの画像構成を定義する画像構成ブロックを求める。ここで、画像構成ブロックとは、元原稿画像データ上の文字、形態素、文、段落、図、写真などである。図８は、元原稿画像データの画像構成を定義する画像構成ブロックの説明図である。候補選出部３０３は、段落８０１、写真８０２、および文８０３，８０４からなる元原稿画像データ８００の画像構成ブロックを求める。
【００６５】
次に、候補選出部３０３は、ＲＡＭ１１１２ｂから加筆箇所毎に加筆画像データを読み込む（ステップＳ７０２）。例えば、図６に示す原稿６００の加筆画像データを読み込む場合、候補選出部３０３は、命令記号：閉曲線６０４および当該閉曲線６０４に付属して表記された命令記号：“↓”６０５を読み込むものとする。
【００６６】
その際、候補選出部３０３は、加筆が表す処理内容の候補を記録する範囲リストおよび候補リストをリセットする（ステップＳ７０３）。ここで、範囲リストは、画像処理を施す対象範囲の候補を記録するリストである。また、候補リストは、範囲リストに記録された対象範囲に施す画像処理の画像処理方法の候補を記録するリストである。本実施の形態では、範囲リストおよび候補リストは、ＲＡＭ１１１２ｂに格納されているものとする。候補選出部３０３は、対象範囲の候補および画像処理方法の候補を選出される毎に、ＲＡＭ１１１２ｂに格納されている範囲リストおよび候補リストに追加するものとする。なお、候補選出部３０３は、原稿読取部３０１によって新たに読み取った原稿の加筆画像データを読み込んだ場合にのみ、範囲リストおよび候補リストをリセットするものとする。
【００６７】
次に、候補選出部３０３は、読み込んだ加筆画像データとマッチングする命令記号（パターン画像）を図５に示す処理内容候補テーブルから探索し、探索した命令記号と対応付けられた対象範囲の候補および画像処理方法の候補を選出し、範囲リストおよび候補リストに追加する（ステップＳ７０４）。
【００６８】
例えば、図６に示す原稿６００が読み取られた場合、候補選出部３０３は、図５に示す処理内容候補テーブルから、命令記号：“↓”６０５と対応付けられた移動、変倍、分割、および縮小を画像処理方法の候補として選出する。なお、命令記号：“↓”６０５が命令記号：閉曲線６０４に付属して表記されていなかった場合、候補選出部３０３は、画像処理方法の候補と共に、命令記号：“↓”６０５と対応付けられたページの一部およびページの全体を対象範囲の候補として選出するものとする。
【００６９】
また、命令記号と対応付けられた画像処理方法の候補が移動や変倍等の場合、その移動量や変倍率等の属性値を命令記号のみから判断するのは困難である。そこで、候補選出部３０３は、移動や変倍等の画像処理方法の候補と共に、移動量（例えば、中央、下端、任意）の候補や変倍率（例えば、少し大きめ、少し小さめ、任意）等の属性値の候補を選出してもよい。その場合、図示しないが、属性値の候補も図５に示す処理内容候補テーブルに含まれているものとする。
【００７０】
さらに、候補選出部３０３は、読み込んだ加筆画像データとマッチングする命令記号が対象範囲を詳細に表すものである場合、当該読み込んだ加筆画像データの原稿画像データ内における位置情報と、ステップＳ４０３において求めた画像構成ブロックと、を比較して、対象範囲の候補をさらに選出し、範囲リストに追加する（ステップＳ７０５）。
【００７１】
例えば、図６に示す原稿６００が読み取られた場合、候補選出部３０３は、命令記号：“↓”６０５が対象範囲を表す命令記号：閉曲線６０４に付属して表記されているため、図６に示す原稿６００に含まれる命令記号：閉曲線６０４と、図７に示す画像構成ブロックと、を比較する。そして、候補選出部３０３は、写真８０２のみからなる対象範囲の候補、写真８０２および文８０３からなる対象範囲の候補、写真８０２、文８０３および文８０４からなる対象範囲の候補、以上３つの対象範囲の候補を選出する。
【００７２】
次に、候補選出部３０３は、候補リストおよび範囲リストに追加した処理内容の候補である画像処理方法の候補および対象範囲の候補の選択を指示する選択指示を記入可能なチェック欄を有する指示書の画像データを作成し、ＲＡＭ１１１２ｂに展開する（ステップＳ７０６）。なお、ＲＡＭ１１１２ｂに複数の加筆箇所の加筆画像データが格納されている場合、候補選出部３０３は、上記のステップＳ７０２〜ステップＳ７０６の処理を繰返し、新たに候補リストおよび範囲リストに追加された画像処理方法の候補および対象範囲の候補の選択指示を記入するチェック欄をＲＡＭ１１１２ｂに展開されている画像データに追加するものとする。
【００７３】
図９は、ＲＡＭに展開された指示書の画像データの一例を示す図である。本実施の形態では、候補選出部３０３は、図９に示すように、範囲リストに追加された対象範囲の候補を示す画像データ（例えば、サムネイル画像）（９０１、９０２、９０３）、当該対象範囲の候補を選択するためのチェック欄の画像データ（９０１ａ、９０２ａ、９０３ａ）、候補リストに追加された画像処理方法の候補リストおよび属性値の候補を示す文字列（９０４、９０５）、および当該画像処理方法の候補および当該属性値の候補を選択するためのチェック欄の画像（９０４ａ、９０５ａ）を含む指示書９００の画像データをＲＡＭ１１１２ｂに展開するものとする。図９に示す指示書９００を出力することにより、画像処理の処理内容をユーザに分かり易く伝えることができる。
【００７４】
図４に戻り、指示書出力部３０４は、ＲＡＭ１１１２ｂに展開されている指示書の画像データであって、候補選出部３０３により選出した処理内容の候補から所望の処理内容の選択を指示する選択指示を記入可能な指示書を出力する（ステップＳ４０４）。本実施の形態では、指示書出力部３０４は、プリンタ部３００を制御して、ＲＡＭ１１１２ｂに展開されている指示書の画像データを用紙に印刷して出力する。
【００７５】
指示書読取部３０５は、スキャナ部２００を制御して、チェック欄への選択指示が記入された指示書の指示書画像データを読み取る（ステップＳ４０５）。
【００７６】
さらに、本実施の形態では、指示書読取部３０５は、スキャナ部２００を制御して、再度、元原稿画像データに施す画像処理の処理内容を表す加筆を含む原稿の原稿画像データを読み取る（ステップＳ４０５）。そして、本実施の形態では、加筆抽出部３０２、および候補選出部３０３は、上述したステップＳ４０２およびステップＳ４０３と同様にして、再度読み込んだ原稿画像データを用いて指示書の画像データをＲＡＭ１１１２ｂに展開する。
【００７７】
内容選択部３０６は、指示書読取部３０５により読み取った指示書画像データを解析して指示書のチェック欄に記入した選択指示が指示する処理内容を選択する（ステップＳ４０６）。本実施の形態では、内容選択部３０６は、指示書読取部３０５により読み取った指示書画像データと、再度読み取った原稿画像データを用いてＲＡＭ１１１２ｂに展開した指示書の画像データと、を比較して、チェック欄への選択指示の記入を抽出する。そして、内容選択部３０６は、チェック欄への選択指示の記入に基づいて、ＲＡＭ１１１２ｂに格納されている候補リストおよび範囲リストから、対象範囲、画像処理方法、属性値を選択する。
【００７８】
画像処理制御部３０７は、プリンタ部３００またはスキャナ部２００に含まれる画像処理部を制御して、内容選択部３０６により選択した処理内容の画像処理を元原稿画像データに対して施す（ステップＳ４０７）。本実施の形態では、画像処理制御部３０７は、まず、原稿読取部３０１により再度読み取った原稿画像データから、加筆抽出部３０２により抽出した加筆画像データを消去して元原稿画像データを生成する。そして、画像処理制御部３０７は、生成した元原稿画像データに対して、内容選択部３０６によって選択した処理内容の画像処理を施すものとする。
【００７９】
なお、本実施の形態では、画像処理制御部３０７は、原稿読取部３０１により再度読み取った原稿画像データから元原稿画像データを生成しているが、これに限定するものではない。例えば、原稿から読み取った２次元バーコード等が示す識別情報に対応付けてＨＤＤ１１１８等の記憶装置に元原稿画像データが記憶されている場合には、画像処理制御部３０７は、ＨＤＤ１１１８から元原稿画像データを取得してもよい。これにより、原稿読取部３０１により同じ原稿を２度読み込む処理を省略することができる。
【００８０】
そして、画像処理制御部３０７は、プリンタ部３００を制御して、画像処理を施した元原稿画像データを用紙に印刷して出力する（ステップＳ４０８）。
【００８１】
図１０は、本実施の形態にかかるカラーデジタル複写機による画像処理の一例を示す説明図である。図１０に示すように、本実施の形態にかかるカラーデジタル複合機１０００によれば、編集や修正にかかる画像処理の処理内容を表す加筆を含む原稿６００を読み取り、当該加筆から複数の処理内容の候補を選出できる場合に、指示書９００を出力して、所望の処理内容の選択指示をユーザに求めることができるので、ユーザが意図する処理内容の画像処理を施した出力結果１００１を得ることができる。
【００８２】
（第２実施の形態）
本実施の形態にかかるカラーデジタル複写機１０００は、対象範囲の候補を示す枠線が描かれた画像と、当該各枠線に付加された選択指示を記入するチェック欄と、を含む指示書を出力するものである。なお、カラーデジタル複写機１０００の構成については、第１実施の形態とほぼ同様であるため、第１実施の形態と異なる部分の処理のみを説明する。
【００８３】
図１１は、本実施の形態にかかる指示書出力部により出力された指示書の一例を示す図である。指示書出力部３０４は、図１１に示すように、候補選出部３０３により選出した各対象範囲の候補を示す枠線１１３０〜１１３２が描かれた画像１１３３と、当該各枠線１１３０〜１１３２に付加されたチェック欄（１１３０ａ、１１３１ａ、１１３２ａ）と、を含む指示書１１００を出力するものである。これにより、候補選出部３０３により選出した各対象範囲の候補の画像を別々に出力する必要がなくなる。
【００８４】
なお、指示書出力部３０４は、枠線を対象範囲毎に異なる線種（例えば、点線、破線、鎖線）または色で描くことにより、選出した対象範囲の区別を容易にすることができる。また、ユーザに対して、対象範囲を正確に表すための加筆：閉曲線の描き方の例示にも利用することができる。
【００８５】
（変形例）
本変形例にかかるカラーデジタル複写機１０００は、原稿の文字列上に二重線等が描かれていた場合に、対象範囲の候補を示す文字列を含む指示書を出力するものである。なお、カラーデジタル複写機１０００の構成については、第１実施の形態とほぼ同様であるため、第１実施の形態と異なる部分の処理のみを説明する。
【００８６】
図１２は、本変形例にかかる原稿読取部により読み取った原稿の一例を示す図である。図１２に示す原稿１２００は、文字列である「文書例」上に命令記号（加筆）：二重線が描かれた例である。この場合、候補選出部３０３は、読み込んだ加筆画像データの原稿画像データ内における位置情報と、文字単位の画像構成ブロックと、を比較して対象範囲の候補を選出する。例えば、図１２に示す原稿１２００が読み取られた場合、候補選出部３０３は、「文章例」、「文章」、「章例」、および「章」の以上４つの対象範囲の候補を選出し、範囲リストに追加する。
【００８７】
そして、指示書出力部３０４は、対象範囲の候補を示す文字列を含む指示書を出力するものである。図１３は、本変形例にかかる指示書出力部が出力した指示書の一例を示す図である。図１３に示すように、指示書出力部３０４は、図１２に示す原稿１２００が読み取られた場合、対象範囲の候補である文字列（「文章例」、「文章」、「章例」、「章」）１３０１と、対象範囲の候補の選択指示を記入するチェック欄の画像１３０１ａと、画像処理方法の候補リストを示す文字列（「削除」、「取消線」、「二重下線」）１３０２、および当該画像処理方法の候補を選択するためのチェック欄の画像１３０２ａを含む指示書１３００を出力する。
【００８８】
なお、指示書出力部３０４は、当該複数の処理内容の候補を表す命令記号（加筆）の表記例をさらに含む指示書を出力することもできる。図１４は、命令記号の表記例を含む指示書の一例を示す図である。例えば、指示書出力部３０４は、画像処理方法の候補リストを示す文字列（「削除」、「取消線」、「二重下線」）１３０２を含む指示書１４００を出力する場合、各画像処理方法を表す命令記号の表記例１４０１を含む指示書１４００を出力する。また、指示書出力部３０４は、各対象範囲の候補を示す枠線が描かれた画像１４０２をさらに含む指示書１４００を出力することも可能である。これにより、命令記号の表記例を指示書に含めることにより、正確な命令記号の表記の仕方をユーザに知らせることができる。
【図面の簡単な説明】
【００８９】
【図１】第１実施の形態にかかるカラーデジタル複合機を概略的に示す構成図である。
【図２】カラーデジタル複合機のハードウェア構成を示すブロック図である。
【図３】画像処理にかかる機能構成を示すブロック図である。
【図４】画像処理の手順を示すフローチャートである。
【図５】命令記号が表す処理内容の候補の一覧である処理内容候補テーブルの一例を示す図である。
【図６】加筆（命令記号）を含む原稿の一例を示す図である。
【図７】処理内容の候補を選出する処理の手順を示すフローチャートである。
【図８】元原稿画像データの画像構成を定義する画像構成ブロックの説明図である。
【図９】ＲＡＭに展開された指示書の画像データの一例を示す図である。
【図１０】第１実施の形態にかかるカラーデジタル複写機による画像処理の一例を示す説明図である。
【図１１】第２実施の形態にかかる指示書出力部により出力された指示書の一例を示す図である。
【図１２】変形例にかかる原稿読取部により読み取った原稿の一例を示す図である。
【図１３】変形例にかかる指示書出力部が出力した指示書の一例を示す図である。
【図１４】命令記号の表記例を含む指示書の一例を示す図である。
【符号の説明】
【００９０】
１  ＡＤＦ
２  原稿台
３  給紙ローラ
４  給送ベルト
５  排送ローラ
６  コンタクトガラス
７  原稿セット検知センサ
８  第１トレイ
９  第２トレイ
１０  第３トレイ
１１  第１給紙装置
１２  第２給紙装置
１３  第３給紙装置
１４  縦搬送ユニット
１５  感光体
１６  搬送ベルト
１７  定着ユニット
１８  排紙ユニット
１８ａ  排紙ローラ
５０  読み取りユニット
５１  露光ランプ
５２  第１ミラー
５３  レンズ
５４  ＣＣＤイメージセンサ
５５  第２ミラー
５６  第３ミラー
５７  書き込みユニット
５８  レーザ出力ユニット
５９  結像レンズ
７０  作像ステーション
８０  給紙部
１００  フィニッシャ
１０１  切り替え板
１０２  通常排紙ローラ
１０３，１０５，１０７  搬送ローラ
１０４  排紙トレイ
１０６  ステープラ
１０８  ステープル台
１０９  ジョガー
１１０  ステープル完了排紙トレイ
１１１  両面給紙ユニット
１１２  分岐爪
２００  スキャナ部
３００  プリンタ部
３０１  原稿読取部
３０２  加筆抽出部
３０３  候補選出部
３０４  指示書出力部
３０５  指示書読取部
３０６  内容選択部
３０７  画像処理制御部
４００  操作表示部
４００ａ  タッチパネル
４００ｂ  キー操作部
４００ｃ  スタイラスペン
１０００  カラーデジタル複合機
１１０１  コントローラ
１１０４  ネットワークＩ／Ｆ
１１１１  ＣＰＵ
１１１２  ＭＥＭ−Ｐ
１１１２ａ  ＲＯＭ
１１１２ｂ  ＲＡＭ
１１１３  ＮＢ
１１１４  ＳＢ
１１１５  ＡＧＰ
１１１６  ＡＳＩＣ
１１１７  ＭＥＭ−Ｃ
１１１８  ＨＤＤ
１１２１  ＦＣＵ
１１２２  ＵＳＢ
１１２３  ＩＥＥＥ１３９４
Ｐ  転写紙
【図１】
2010074425.tif 000003
【図２】
2010074425.tif 000004
【図３】
2010074425.tif 000005
【図４】
2010074425.tif 000006
【図５】
2010074425.tif 000007
【図６】
2010074425.tif 000008
【図７】
2010074425.tif 000009
【図８】
2010074425.tif 000010
【図９】
2010074425.tif 000011
【図１０】
2010074425.tif 000012
【図１１】
2010074425.tif 000013
【図１２】
2010074425.tif 000014
【図１３】
2010074425.tif 000015
【図１４】
2010074425.tif 000016